(57)【要約】【課題】ＤＬＮＡの技術仕様に対応した電子機器を相互に接続し、連携して利用するホームネットワークにおいて、該電子機器で電子メールやＴＯ  ＤＯの表示を行ってその内容を確認できるようにする。【解決手段】情報処理装置は、ＤＬＮＡの仕様に対応したサーバ装置として、該仕様に対応したクライアント装置としての電子機器とともにＤＬＮＡに準拠したネットワークを構成する情報処理装置であって、接続されたメールサーバ又はメッセージサーバから電子メールデータ又はメッセージデータを取得し、該データを用いて、ＤＬＮＡの仕様に対応した電子機器が電子メールデータ又はメッセージデータを一覧表示するための一覧データを生成する。【選択図】図１
2010079571.tif 000002
【特許請求の範囲】
【請求項１】
接続されたメールサーバ又はメッセージサーバから電子メールデータ又はメッセージデータを取得し、該データを用いて、ＤＬＮＡの仕様に対応した電子機器が前記電子メールデータ又は前記メッセージデータを一覧表示するための一覧データを生成することを特徴とする情報処理装置。
【請求項２】
前記メールサーバからの電子メールデータ又は前記メッセージサーバからのメッセージデータについてフォーマット変換して保持し、前記の変換後データを前記電子機器に取得させ、前記電子機器によるデータ取得に応じて前記一覧データを更新することを特徴とする請求項１に記載の情報処理装置。
【請求項３】
ＤＬＮＡの仕様に対応したサーバ装置として、前記仕様に対応したクライアント装置としての電子機器とともにＤＬＮＡに準拠したネットワークを構成する情報処理装置であって、
接続されたメールサーバから電子メールデータを取得するメール取得手段と、
前記メール取得手段により取得された電子メールデータを用いて、前記電子機器が前記電子メールデータを一覧表示するための一覧データを生成する一覧生成手段と、
前記メール取得手段により取得された電子メールデータをＤＬＮＡに準拠したフォーマットに変換するフォーマット変換手段と、
前記一覧データ生成手段により生成された一覧データ及び前記フォーマット変換手段によりフォーマット変換された電子メールデータを保持して管理するデータ管理手段と、
を有することを特徴とする情報処理装置。
【請求項４】
前記データ管理手段は、前記電子機器による前記フォーマット変換後の電子メールデータの取得に応じて、前記保持する一覧データの中から、前記取得された電子メールデータに対応するデータを削除することを特徴とする請求項３に記載の情報処理装置。
【請求項５】
前記データ管理手段は、前記電子機器による前記フォーマット変換後の電子メールデータの取得に応じて、前記取得された電子メールデータのフォーマット変換前の電子メールデータを保持するメールサーバにメール既読のメッセージを送出することを特徴とする請求項３又は４に記載の情報処理装置。
【請求項６】
ＤＬＮＡの仕様に対応したサーバ装置として、前記仕様に対応したクライアント装置としての電子機器とともにＤＬＮＡに準拠したネットワークを構成する情報処理装置であって、
日々の予定を表すメッセージデータを、接続されたメッセージサーバから取得するメッセージ取得手段と、
前記メッセージ取得手段により取得されたメッセージデータを用いて、前記電子機器が前記メッセージデータを一覧表示するための一覧データを生成する一覧生成手段と、
前記メール取得手段により取得されたメッセージデータをＤＬＮＡに準拠したフォーマットに変換するフォーマット変換手段と、
前記一覧データ生成手段により生成された一覧データ及び前記フォーマット変換手段によりフォーマット変換された電子メッセージデータを保持して管理するデータ管理手段と、
を有することを特徴とする情報処理装置。
【請求項７】
ＤＬＮＡの仕様に対応したサーバ装置として、前記仕様に対応したクライアント装置としての電子機器とともにＤＬＮＡに準拠したネットワークを構成する情報処理装置に用いられるプログラムであって、
コンピュータに、
接続されたメールサーバから電子メールデータを取得するメール取得処理と、
前記メール取得処理により取得された電子メールデータを用いて、前記電子機器が前記電子メールデータを一覧表示するための一覧データを生成する一覧生成処理と、
前記メール取得処理により取得された電子メールデータをＤＬＮＡに準拠したフォーマットに変換するフォーマット変換処理と、
前記一覧データ生成処理により生成された一覧データ及び前記フォーマット変換処理によりフォーマット変換された電子メールデータを保持して管理するデータ管理処理と、
を実行させることを特徴とするプログラム。
【請求項８】
ＤＬＮＡの仕様に対応したサーバ装置として、前記仕様に対応したクライアント装置としての電子機器とともにＤＬＮＡに準拠したネットワークを構成する情報処理装置に用いられるプログラムであって、
コンピュータに、
日々の予定を表すメッセージデータを、接続されたメッセージサーバから取得するメッセージ取得処理と、
前記メッセージ取得処理により取得されたメッセージデータを用いて、前記電子機器が前記メッセージデータを一覧表示するための一覧データを生成する一覧生成処理と、
前記メール取得処理により取得されたメッセージデータをＤＬＮＡに準拠したフォーマットに変換するフォーマット変換処理と、
前記一覧データ生成処理により生成された一覧データ及び前記フォーマット変換処理によりフォーマット変換された電子メッセージデータを保持して管理するデータ管理処理と、
を実行させることを特徴とするプログラム。
【発明の詳細な説明】
【技術分野】
【０００１】
本発明は、情報処理装置及びプログラムに関し、特に、ＤＬＮＡの技術仕様に対応した電子機器（ＡＶ機器、パソコン、その他のデジタル家電等）を相互に接続し、連携して利用するホームネットワークにおいて、コンテンツを蓄積してクライアント装置に提供するサーバ装置に好ましく適用される技術に関するものである。
【背景技術】
【０００２】
近年、カメラ、ビデオカメラ、オーディオ、ビデオレコーダ、テレビ等の家電製品のデジタル化が急速に進展している。これらデジタル化された家電製品の普及に伴って、それらをネットワークで接続し、相互に画像データ、映像データ、音楽データ等のコンテンツを利用するニーズが高まっている。例えば、テレビの画面から、デジタルカメラやデジタルビデオカメラ内のコンテンツを閲覧し、ハードディスクレコーダにおいてコピーを行うといった作業を、パーソナルコンピュータを介さずに行いたいというニーズがある。また、複数のベンダの機器間でも、この相互接続性を確保したいというニーズも高まっている。
【０００３】
このようなニーズに応じて、ＤＬＮＡ（Digital Living Network Alliance）と呼ばれる業界団体が設立され、ＡＶ機器やパーソナルコンピュータに蓄積された映像や音楽等のコンテンツを、ホームネットワークで共有する際に必要となる機器相互接続の標準化がＤＬＮＡによって進められている。ＤＬＮＡでは、以下の機能を使用することが定められている。例えばネットワークは、インターネットで使われているＩＰネットワークを利用し、有線ＬＡＮ、無線ＬＡＮ等を用いることが定められている。また、メディアフォーマットでは、画像データはＪＰＥＧ（Joint Photographic Experts Group）が必須で、映像データはＭＰＥＧ（Moving Picture Experts Group）２が必須で、音楽データはＬＰＣＭ（Linear Pulse Code Modulation）が必須である。
【０００４】
また、ＤＬＮＡでは、基本的な構成として、コンテンツを保存して提供するサーバ装置と、コンテンツを再生するクライアント装置の２種類の機器がある。例えばリビングにサーバ装置としてハードディスクレコーダがあり、書斎にクライアント装置としてパーソナルコンピュータが置かれるようなシステム構成を考える。サーバ装置であるハードディスクレコーダには、ＭＰＥＧ２符号化されたデジタルコンテンツが記憶され、また該映像に関する情報（ジャンル、説明（タイトル）、録画日時等）も同様に記憶されている。ユーザは、クライアント装置であるパーソナルコンピュータを用いて、以下のようにしてデジタルコンテンツの提供をサーバ装置から受ける。
【０００５】
まず、書斎にいるユーザがクライアント装置を用いてサーバ装置を探索して、サーバ装置から映像に関する情報の一覧を取得し、取得した一覧をクライアント装置の画面に表示する。そして、ユーザが再生する映像を一覧から選択すると、選択された情報がネットワークを介してクライアント装置からサーバ装置へ送信され、これに応答して指定された映像の符号化コンテンツがサーバ装置からホームネットワーク経由でクライアント装置に送信される。クライアント装置は、サーバ装置から受信したデータを復号し、蓄積映像としてディスプレイ表示する。このようにして、サーバ装置で蓄積されたデジタルコンテンツがクライアント装置に提供される。
【０００６】
ところで、電子メールやＴＯ  ＤＯ（やることリスト）の読み込みには、Ｅｘｃｈａｎｇｅ  サーバ（互換を含む）や汎用のメールソフト（Ｍｉｃｒｏｓｏｆｔ  Ｏｕｔｌｏｏｋ（登録商標）等）を使用する必要がある。一方で、ＤＬＮＡは、上述したように、画像データ、映像データ、音楽データ等のデジタルコンテンツの配信を目的として技術仕様が策定されたもので、電子メールやＴＯ  ＤＯをクライアント装置で確認する機能はＤＬＮＡの技術仕様には含まれていない。
【０００７】
例えば特許文献１では、携帯電話端末に宛てられた電子メールを所望のＦＡＸで印刷することを可能とする電子メール印刷システムが開示されている。当該システムでは、電子メール変換サーバがメールサーバへのメール着信を監視してメール着信時にその旨を携帯電話端末に通知するとともに、メールサーバから着信メールを取得してメールの内容を画像データ化する。そして、携帯電話端末からの入力を受けて、電子メール変換サーバは指定されたＦＡＸへ着信メールの画像データを送信する。このようにして、携帯電話端末上の電子メールを他の機器に出力することを実現している。
【特許文献１】特開２００１−３５８７５４号公報
【発明の開示】
【発明が解決しようとする課題】
【０００８】
メールは、双方向のコミュニケーションツールだけでなく、メールマガジンやショップのお知らせのように、一方向からの通知を受け取るというケースで利用されることも多い。また、ＴＯ  ＤＯは、日々のやることをリストにしたもので、専らユーザが確認するために作成されるものであることから、作成済みのリストに対する返信や修正は行われることは少ない。このような返信を必要としないメールや閲覧するだけのＴＯ  ＤＯを、例えばテレビ等で内容を確認できるようにすると、テレビ番組視聴時にメールチェックやＴＯ  ＤＯ  リストの確認が一度に済み効率的である。また、返信が必要な個人宛のメールであっても、テレビ等を使って簡便に内容を確認する手段があってもよい。
【０００９】
特許文献１で開示された発明は、携帯電話端末やパーソナルコンピュータ上の電子メールをＦＡＸやプリンタに出力するものであるため、仮に特許文献１による発明を、ＤＬＮＡに準拠したホームネットワークにおけるサーバ装置及びクライアント装置に適用したとしても、電子メールやＴＯ  ＤＯをテレビ等に表示するように構成することはできない。
【００１０】
そこで、本発明は、ＤＬＮＡの技術仕様に対応した電子機器を相互に接続し、連携して利用するホームネットワークにおいて、該電子機器で電子メールやＴＯ  ＤＯの表示を行ってその内容を確認できるようにすることを目的とする。
【課題を解決するための手段】
【００１１】
かかる目的を達成するために、本発明の第１の情報処理装置は、接続されたメールサーバ又はメッセージサーバから電子メールデータ又はメッセージデータを取得し、該データを用いて、ＤＬＮＡの仕様に対応した電子機器が電子メールデータ又はメッセージデータを一覧表示するための一覧データを生成するものである。
【００１２】
また、上記の情報処理装置において、メールサーバからの電子メールデータ又はメッセージサーバからのメッセージデータについてフォーマット変換して保持し、該変換後データを電子機器に取得させ、電子機器によるデータ取得に応じて一覧データを更新するように構成してもよい。
【００１３】
本発明の第２の情報処理装置は、ＤＬＮＡの仕様に対応したサーバ装置として、該仕様に対応したクライアント装置としての電子機器とともにＤＬＮＡに準拠したネットワークを構成する情報処理装置であって、接続されたメールサーバから電子メールデータを取得するメール取得手段と、メール取得手段により取得された電子メールデータを用いて、電子機器が電子メールデータを一覧表示するための一覧データを生成する一覧生成手段と、メール取得手段により取得された電子メールデータをＤＬＮＡに準拠したフォーマットに変換するフォーマット変換手段と、一覧データ生成手段により生成された一覧データ及びフォーマット変換手段によりフォーマット変換された電子メールデータを保持して管理するデータ管理手段と、を有するものである。
【００１４】
また、上記の情報処理装置において、データ管理手段は、電子機器によるフォーマット変換後の電子メールデータの取得に応じて、保持する一覧データの中から、取得された電子メールデータに対応するデータを削除するように構成してもよい。また、データ管理手段は、電子機器によるフォーマット変換後の電子メールデータの取得に応じて、取得された電子メールデータのフォーマット変換前の電子メールデータを保持するメールサーバにメール既読のメッセージを送出するように構成してもよい。
【００１５】
本発明の第３の情報処理装置は、ＤＬＮＡの仕様に対応したサーバ装置として、該仕様に対応したクライアント装置としての電子機器とともにＤＬＮＡに準拠したネットワークを構成する情報処理装置であって、日々の予定を表すメッセージデータを、接続されたメッセージサーバから取得するメッセージ取得手段と、メッセージ取得手段により取得されたメッセージデータを用いて、電子機器がメッセージデータを一覧表示するための一覧データを生成する一覧生成手段と、メール取得手段により取得されたメッセージデータをＤＬＮＡに準拠したフォーマットに変換するフォーマット変換手段と、一覧データ生成手段により生成された一覧データ及びフォーマット変換手段によりフォーマット変換された電子メッセージデータを保持して管理するデータ管理手段と、を有するものである。
【００１６】
本発明の第１のプログラムは、ＤＬＮＡの仕様に対応したサーバ装置として、仕様に対応したクライアント装置としての電子機器とともにＤＬＮＡに準拠したネットワークを構成する情報処理装置に用いられるプログラムであって、コンピュータに、接続されたメールサーバから電子メールデータを取得するメール取得処理と、メール取得処理により取得された電子メールデータを用いて、電子機器が電子メールデータを一覧表示するための一覧データを生成する一覧生成処理と、メール取得処理により取得された電子メールデータをＤＬＮＡに準拠したフォーマットに変換するフォーマット変換処理と、一覧データ生成処理により生成された一覧データ及びフォーマット変換処理によりフォーマット変換された電子メールデータを保持して管理するデータ管理処理と、を実行させるものである。
【００１７】
本発明の第２のプログラムは、ＤＬＮＡの仕様に対応したサーバ装置として、仕様に対応したクライアント装置としての電子機器とともにＤＬＮＡに準拠したネットワークを構成する情報処理装置に用いられるプログラムであって、コンピュータに、日々の予定を表すメッセージデータを、接続されたメッセージサーバから取得するメッセージ取得処理と、メッセージ取得処理により取得されたメッセージデータを用いて、電子機器がメッセージデータを一覧表示するための一覧データを生成する一覧生成処理と、メール取得処理により取得されたメッセージデータをＤＬＮＡに準拠したフォーマットに変換するフォーマット変換処理と、一覧データ生成処理により生成された一覧データ及びフォーマット変換処理によりフォーマット変換された電子メッセージデータを保持して管理するデータ管理処理と、を実行させるものである。
【発明の効果】
【００１８】
本発明によれば、ＤＬＮＡの技術仕様に対応した電子機器を相互に接続し、連携して利用するホームネットワークにおいて、該電子機器で電子メールやＴＯ  ＤＯの表示を行ってその内容を確認することが可能となる。
【発明を実施するための最良の形態】
【００１９】
まず、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２０】
図１は、本実施形態の情報処理装置であるＤＬＮＡサーバを含むシステム構成を示した図である。当該システムは、ＤＬＮＡサーバ１、ＤＬＮＡクライアントａ２、ＤＬＮＡクライアントｂ３がＤＬＮＡネットワーク４に接続され、ＰＯＰ（Post Office Protocol）サーバ５がＤＬＮＡネットワーク４とは別にＤＬＮＡサーバ１に接続されて構成される。ＤＬＮＡネットワーク４はＩＰネットワークを利用するものであれば、有線ＬＡＮ、無線ＬＡＮ、あるいはＢｌｕｅｔｏｏｔｈ（登録商標）のいずれでもよい。また、ＰＯＰサーバ５とＤＬＡＮサーバ１との間はＤＬＮＡに準拠したネットワークである必要はなく、例えば通常の有線ＬＡＮでよい。
【００２１】
ＤＬＮＡサーバ１は、請求項において記載した情報処理装置に相当し、ＤＬＮＡの技術仕様に対応したサーバ装置として、デジタルコンテンツを蓄積し、クライアント装置に提供する機能を有する。一般にサーバ装置としては、パーソナルコンピュータのほかにハードディスクレコーダやネットワーク型ハードディスクといったデータ蓄積機能を備えた装置が挙げられるが、本実施形態では、ＤＬＮＡサーバ１はパーソナルコンピュータとする。
【００２２】
ＤＬＮＡクライアントａ２、ＤＬＮＡクライアントｂ３は、請求項において記載した電子機器に相当し、ＤＬＮＡの技術仕様に対応したクライアント装置として、サーバ装置から取得したデジタルコンテンツを再生する機能を有する。一般にクライアント装置としては、テレビ、パーソナルコンピュータ、ネットワークメディアプレーヤ、オーディオシステムといったデータ再生機能を備えた装置が挙げられるが、本実施形態では、ＤＬＮＡクライアントをテレビとする。
【００２３】
ＰＯＰサーバ５は、請求項において記載したメールサーバに相当し、受信した電子メールのデータを蓄積する。電子メールデータを蓄積するメールサーバとしては、ＰＯＰサーバのほかに、ＩＭＡＰ（Internet Message Access Protocol）サーバを用いてもよい。また、ＤＬＮＡサーバ１と接続するサーバは、メールサーバのほかに、メッセージデータを蓄積するメッセージサーバとして、ＴＯ  ＤＯを扱えるＥｘｃｈａｎｇｅサーバを用いてもよい。
【００２４】
図２は、本実施形態の情報処理装置であるＤＬＮＡサーバのモジュール構成を示した図である。ＤＬＮＡサーバ１は、ＰＯＰ通信部１１、ＩＭＡＰ通信部１２、Ｅｘｃｈａｎｇｅ通信部１３、一覧データ生成部１４、電子メール変換部１５、ＴＯ  ＤＯ変換部１６、ＤＬＮＡサーバ登録部１７、ＤＬＮＡサーバ１８、ＵＰｎＰ／ＡＶ１９、ＨＴＴＰサーバ２０を有する。
【００２５】
ＰＯＰ通信部１１は、ＰＯＰサーバとの通信を担当するモジュールで、請求項において記載したメール取得手段に相当し、ＰＯＰサーバから電子メールデータを受信する。ＩＭＡＰ通信部１２は、ＩＭＡＰサーバとの通信を担当するモジュールで、請求項において記載したメール取得手段に相当し、ＩＭＡＰサーバから電子メールデータを受信する。Ｅｘｃｈａｎｇｅ通信部１３は、Ｅｘｃｈａｎｇｅサーバとの通信を担当するモジュールで、請求項において記載したメッセージ取得手段に相当し、Ｅｘｃｈａｎｇｅサーバからメッセージデータ（ＴＯ  ＤＯ）を受信する。
【００２６】
一覧データ生成部１４は、請求項において記載した一覧生成手段に相当し、各通信部から電子メールデータやＴＯ  ＤＯを受け取って、これらのデータを用いて、ＤＬＮＡクライアントが電子メールを一覧表示するための一覧データを生成する。例えば電子メールの場合、メールのｇｅｎｒｅをつけ、サブジェクトをｔｉｔｌｅに設定し、送信日をｄａｔｅにしたｐｒｏｐｅｒｔｉｅｓを一覧データとして生成する。ＴＯ  ＤＯの場合も同じようにして一覧データを生成できる。また、この一覧データは、通常ＸＭＬ（extensible Markup Language）形式に従って生成される。
【００２７】
電子メール変換部１５及びＴＯ  ＤＯ変換部１６は、請求項において記載したフォーマット変換手段に相当する。電子メール変換部１５は、ＰＯＰ通信部１１やＩＭＡＰ通信部１２等で受信した電子メールデータを画像データや映像データに変換する。また、ＴＯ  ＤＯ変換部１６は、Ｅｘｃｈａｎｇｅサーバで受信したメッセージデータを画像データや映像データに変換する。画像データへの変換は、前述のＪＰＥＧのほか、ＢＭＰ（Bit Map）やＧＩＦ（Graphics Interchange Format）のファイル形式に則って行う。映像データへの変換は、前述のＭＰＥＧ２のほか、ＷＭＶ（Windows(登録商標) Media Video）、ＭＰＥＧ４のファイル形式に則って行う。なお、画像データに変換するか映像データに変換するかは、画面スクロールが必要となるデータ量を有しているか否かで判別するように構成してもよい。
【００２８】
ＤＬＮＡサーバ登録部１７は、請求項において記載したデータ管理手段に相当し、一覧データ生成部１４で生成された一覧データや各変換部で生成されたフォーマット変換後データを保持するとともに、これらのデータの更新を行う。
【００２９】
ＤＬＮＡサーバ１８、ＵＰｎＰ／ＡＶ１９、ＨＴＴＰサーバ２０は、ＤＬＮＡの技術使用に対応した一般的なサーバ装置が有するモジュールである。ＤＬＮＡサーバ１８は、ＤＬＮＡクライアントにコンテンツを蓄積して提供するサーバ機能全体を司るモジュールである。ＵＰｎＰ／ＡＶ１９は、利用機器のＩＰアドレスの割り当て等に使用されるモジュールである。ＨＴＴＰサーバ２０は、ＤＬＮＡクライアントへのコンテンツの提供で使用されるモジュールである。
【００３０】
図３は、本実施形態の情報処理装置であるＤＬＮＡサーバの動作の流れを示したシーケンス図である。まず、ＤＬＮＡサーバにおいて、ＰＯＰ通信部１１は、ＰＯＰサーバと接続した後、その時点で取得していない電子メールデータの有無を確認する確認メッセージをＰＯＰサーバに送信する（処理（１））。ＰＯＰサーバは、着信した電子メールのうちＤＬＮＡサーバに送信していないものがあったとき、未送信の電子メールデータありの応答メッセージを送出する（処理（２））。ＤＬＮＡサーバのＰＯＰ通信部１１は、ＰＯＰサーバから未送信データありの応答メッセージを受け取った後、未取得データの送信要求メッセージを送出する（処理（３））。ＰＯＰサーバは、ＤＬＮＡサーバからのデータ送信要求メッセージに応じて、未送信の電子メールデータを送信し、ＤＬＮＡサーバにダウンロードさせる（処理（４））。
【００３１】
ＤＬＮＡサーバでは、ＰＯＰ通信部１１がＰＯＰサーバから電子メールデータをダウンロードし、一覧データ生成部１４が電子メールデータを用いて一覧データを生成する。また、電子メール変換部１５が電子メールデータをＪＰＥＧ形式にフォーマット変換し、コンテンツデータ（変換後メールデータ）を生成する（処理（５））。なお、電子メール変換部１５やＴＯ  ＤＯ変換部１６によるフォーマット変換処理は、一覧データの生成と同じタイミングでなくともよく、ＤＬＮＡクライアントからコンテンツデータ取得の要求がなされたタイミングで行うように構成することもできる。
【００３２】
他方、ＤＬＮＡクライアントは、起動後にＤＬＮＡサーバをコンテンツ取得先に選択し、コンテンツの一覧データ取得の要求メッセージをＤＬＮＡサーバに送出する（処理（６））。ＤＬＮＡサーバにおいては、ＤＬＮＡクライアントからの要求メッセージに応じて、ＰＯＰ通信部１１がＤＬＮＡサーバ登録部１７で保持された一覧データを取得してＤＬＮＡクライアントに送信する（処理（７））。そして、ＤＬＮＡクライアントは、一覧データを画面表示してユーザに再生するコンテンツを選択させ、ユーザの選択入力によりコンテンツデータ取得の要求メッセージをＤＬＮＡサーバに送信する（処理（８））。ＤＬＮＡサーバでは、ＤＬＮＡクライアントからの要求メッセージに応じて、ＰＯＰ通信部１１がＤＬＮＡサーバ登録部１７で保持されたコンテンツデータ（変換後メールデータ）を取得してＤＬＮＡクライアントに送信し、ＤＬＮＡクライアントにダウンロードさせる（処理（９））。
【００３３】
そして、ＤＬＮＡサーバでは、コンテンツデータをＤＬＮＡクライアントに送信した後、ＤＬＮＡサーバ登録部１７が蓄積するコンテンツデータから送信済み（ダウンロード済み）のデータを削除し、また一覧データの更新も行う（処理（１０））。一覧データの更新は、具体的には、電子メールの一覧からダウンロード済みのメールを削除し、最新の状態としてダウンロード未実行のメールを表示する一覧データを再生成する。
【００３４】
本実施形態の変形例として、電子メールデータのうち、例えば送信元、送信先、送信サーバ情報等をキーにして、フォーマット変換を行う電子メールを判別して所望の電子メールのみコンテンツデータとしてＤＬＮＡクライアントに提供し、画面表示させるように構成してもよい。このような構成により、プライベートな電子メールを画面表示させずに、メールマガジンやショップのお知らせのようなメッセージメールのみ画面表示させることが可能となる。
【００３５】
また、本実施形態の変形例として、メタ情報等を付加して、電子メールやＴＯ  ＤＯをフォルダ分けできるように構成することもできる。このような構成により、例えばパーソナルコンピュータで閲覧しているような形での表示がＤＬＮＡクライアントの電子機器でも可能となり、ユーザの使い勝手が向上する。
【００３６】
また、本実施形態の変形例として、ＤＬＮＡサーバにおいてダウンロード済みのコンテンツデータを削除するとともに、ＩＭＡＰサーバやＥｘｃｈａｎｇｅサーバ上で既読扱いにできるように、これらのサーバへダウンロード実行済み（あるいはコンテンツデータ削除）のメッセージを送出するように構成することもできる。このような構成により、ＤＬＮＡクライアントでのメールチェック状況がメールサーバ上の蓄積データに反映されるため、実際のメール確認状況とサーバ上の蓄積データの不整合から生じる余計な手間（例えばパーソナルコンピュータでチェック済みのメールを新着メールから除く操作）をなくすことができる。
【００３７】
なお、上述した実施形態は、本発明の好適な実施形態であり、上記実施形態のみに本発明の範囲を限定するものではなく、本発明の要旨を逸脱しない範囲において種々の変更を施した形態での実施が可能である。
【００３８】
すなわち、本実施形態における情報処理装置で実行されるプログラムは、先に述べた各手段（一覧データ生成部、電子メール変換部、ＴＯ  ＤＯ変換部、ＤＬＮＡサーバ登録部等）を含むモジュール構成となっており、実際のハードウェアを用いて具体的手段を実現する。すなわち、コンピュータ（ＣＰＵ）が所定の記録媒体からプログラムを読み出して実行することにより上記各手段が主記憶装置上にロードされ、一覧データ生成部、電子メール変換部、ＴＯ  ＤＯ変換部、ＤＬＮＡサーバ登録部等が主記憶装置上に生成される。
【００３９】
本実施形態における情報処理装置で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００４０】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４１】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【図面の簡単な説明】
【００４２】
【図１】本発明の実施形態に係るＤＬＮＡサーバを含むシステム構成を示した図である。
【図２】本発明の実施形態に係るＤＬＮＡサーバのモジュール構成を示した図である。
【図３】本発明の実施形態に係るＤＬＮＡサーバの動作の流れを示したシーケンス図である。
【符号の説明】
【００４３】
１，１８    ＤＬＮＡサーバ
２    ＤＬＮＡクライアントａ
３    ＤＬＮＡクライアントｂ
４    ＤＬＮＡネットワーク
５    ＰＯＰサーバ
１１    ＰＯＰ通信部
１２    ＩＭＡＰ通信部
１３    Ｅｘｃｈａｎｇｅ通信部
１４    一覧データ生成部
１５    電子メール変換部
１６    ＴＯ  ＤＯ変換部
１７    ＤＬＮＡサーバ登録部
１９    ＵＰｎＰ／ＡＶ
２０    ＨＴＴＰサーバ
【図１】
2010079571.tif 000003
【図２】
2010079571.tif 000004
【図３】
2010079571.tif 000005